(57)【要約】【課題】ひまわり等の長い茎稈を円滑に分草し誘導搬送装置に案内するものとして、刈取作業の能率を高める。【解決手段】左右の分草杆（２，２）と誘導搬送装置（３，…）の左右両側部との間に、左右の案内カバー（８１，８１）を夫々設け、該左右の案内カバー（８１，８１）の前側部を前記左右の分草杆（２，２）よりも前方へ突出する先端分草案内部（８１ａ，８１ａ）に構成し、左右の分草杆（２，２）の先端分草位置と前記左右の先端分草案内部（８１ａ，８１ａ）の先端分草位置を前後方向の同一直線上に配置する。【選択図】図１
2010029133.tif 000002
【特許請求の範囲】
【請求項１】
刈取装置（１）と、該刈取装置（１）の左右両側に設けた左右の分草杆（２，２）と、前記刈取装置（１）の上方から前下がり傾斜状に前方へ延出した複数の誘導搬送装置（３，…）と、前記刈取装置（１）の後方部位に左右方向の横軸（４）回りに回転自在に設けた掻込オーガ（５）と、該掻込オーガ（５）の後側から後方に向けて延出した搬送コンベヤ装置（６）と、該搬送コンベヤ装置（６）の後方に設けた脱穀装置（１０）とを備えたコンバインであって、前記左右の分草杆（２，２）と前記誘導搬送装置（３，…）の左右両側部との間に、左右の案内カバー（８１，８１）を夫々設け、該左右の案内カバー（８１，８１）の前側部を前記左右の分草杆（２，２）よりも前方へ突出する先端分草案内部（８１ａ，８１ａ）に構成し、該左右の先端分草案内部（８１ａ，８１ａ）の後部に後側傾斜案内面部（８１ｂ，８１ｂ）を接続し、該後側傾斜案内面部（８１ｂ，８１ｂ）には左右両側が高く内側ほど低くなる傾斜面を形成して傾斜下端部を前記誘導搬送装置（３，…）の左右両側部に臨ませ、前記左右の分草杆（２，２）の先端分草位置と前記左右の先端分草案内部（８１ａ，８１ａ）の先端分草位置を前後方向の同一直線上に配置したことを特徴とするコンバイン。
【請求項２】
前記誘導搬送装置（３，…）の搬送無端帯（３ａ〜３ｆ）の下方を覆うように保護板（８５，…）を設けたことを特徴とする請求項１記載のコンバイン。
【発明の詳細な説明】
【技術分野】
【０００１】
この発明は、ひまわり等の長い茎稈の作物を刈取収穫するコンバインに関するものである。
【背景技術】
【０００２】
近年、油糧作物を原料として、バイオディーゼル燃料の精製やパルプの製造を行なう、所謂バイオマス利用技術が注目されている。そのバイオマスの資源作物としてひまわり等の種子等が利用される。
【０００３】
ひまわり等の植物は茎部が長く背丈が高い。このような植物を収穫する汎用コンバインとして、特許文献１に示すものがある。
【特許文献１】特開２００７−２５２２６０号公報
【発明の開示】
【発明が解決しようとする課題】
【０００４】
背景技術の汎用コンバインは、刈取装置、その左右両側に設けた左右の分草杆、刈取装置の上方から前下がり傾斜状に前方へ延出している複数の誘導搬送装置、刈取装置の後方近傍に左右方向の横軸回りに回転する掻込オーガ、掻込オーガの一側から後方に向けて延出している搬送コンベヤ装置、搬送コンベヤ装置の後方に設けた脱穀装置を備えた構成である。
【０００５】
そして、左右の分草杆と誘導搬送装置との間に左右の案内カバーを設け、左右の案内カバーの分草先端位置を左右の分草杆の先端分草位置よりも前方へ突出し、これらの先端分草位置が左右にずれた構成であるので、後方に位置している左右の分草杆の分草先端部にひまわりの茎稈が引っ掛って押し倒され、ひまわりの花托をロスするという不具合があった。そこでこの発明はこのような不具合を解消しようとするものである。
【課題を解決するための手段】
【０００６】
この発明は、上述の如き課題を解決するために、次のような技術的手段を講じる。
即ち、請求項１記載の発明は、刈取装置（１）と、該刈取装置（１）の左右両側に設けた左右の分草杆（２，２）と、前記刈取装置（１）の上方から前下がり傾斜状に前方へ延出した複数の誘導搬送装置（３，…）と、前記刈取装置（１）の後方部位に左右方向の横軸（４）回りに回転自在に設けた掻込オーガ（５）と、該掻込オーガ（５）の後側から後方に向けて延出した搬送コンベヤ装置（６）と、該搬送コンベヤ装置（６）の後方に設けた脱穀装置（１０）とを備えたコンバインであって、前記左右の分草杆（２，２）と前記誘導搬送装置（３，…）の左右両側部との間に、左右の案内カバー（８１，８１）を夫々設け、該左右の案内カバー（８１，８１）の前側部を前記左右の分草杆（２，２）よりも前方へ突出する先端分草案内部（８１ａ，８１ａ）に構成し、該左右の先端分草案内部（８１ａ，８１ａ）の後部に後側傾斜案内面部（８１ｂ，８１ｂ）を接続し、該後側傾斜案内面部（８１ｂ，８１ｂ）には左右両側が高く内側ほど低くなる傾斜面を形成して傾斜下端部を前記誘導搬送装置（３，…）の左右両側部に臨ませ、前記左右の分草杆（２，２）の先端分草位置と前記左右の先端分草案内部（８１ａ，８１ａ）の先端分草位置を前後方向の同一直線上に配置したことを特徴とするコンバインとする。
【０００７】
請求項２記載の発明は、前記誘導搬送装置（３，…）の搬送無端帯（３ａ〜３ｆ）の下方を覆うように保護板（８５，…）を設けたことを特徴とする請求項１記載のコンバインとする。
【発明の効果】
【０００８】
請求項１記載の発明によると、左右の案内カバー（８１，８１）の左右の先端分草案内部（８１ａ，８１ａ）と左右の分草杆（２，２）により分草されたひまわりの花托等は、左右の案内カバー（８１，８１）の左右後側傾斜案内面部（８１ｂ，８１ｂ）上を後方に案内されながら傾斜面に沿って内側に流下案内され、左右両側の誘導搬送装置（３，…）により茎稈部の花托の近傍を支持しながら確実に後方へ搬送され、茎稈の花托に近い部位から刈取装置（１）により切断され、収穫ロスを防止することができる。また、左右の分草杆（２，２）の先端分草位置と左右の先端分草案内部（８１ａ，８１ａ）の先端分草位置を前後方向の同一直線上に配置したので、左右両側に向けて倒れているひまわりの花托等を円滑に引き起こして左右内側に案内することができ、該花托等の刈取作業を能率よく行うことができる。
【０００９】
請求項２記載の発明によると、上記請求項１記載の発明の効果に加えて、保護板（８５，…）により誘導搬送装置（８，…）の搬送無端帯（３ａ〜３ｆ）への茎稈の巻き込みを防止して、刈取作業を円滑に行なうことができる。
【発明を実施するための最良の形態】
【００１０】
以下、この発明の実施例を図面に基づき説明する。
本発明のコンバインは、主としてひまわりを収穫するために製造されたものである。このひまわり用汎用コンバインは、図１及び図２に示すように、左右一対のクローラ８，８を装備した車台９上に、供給部１１を前側にした脱穀装置１０を後側に搭載し、その供給部１１に搬送コンベヤ装置６の搬送終端部を臨ませて構成している。そして、前記搬送コンベヤ装置６をコンベヤ室１７に内装して軸架し、搬送終端側を扱室１８の供給部１１に臨ませ、搬送始端側を前側のオーガー５の背後に臨ませている。
【００１１】
そして、前記脱穀装置１０は、図２に示すように、上部に扱胴１９を前後方向の扱胴軸により軸架し、その下側に選別受網２０を張設して扱室１８を構成し、その下側には選別室２１を設けている。
【００１２】
刈取前処理装置７は、図１及び図２に示すように、前記コンベヤ室１７の搬送始端側に収集テーブル３０の後側端部を連結して前側に延出して設け、このテーブル３０上に左右方向横向きにした横軸４に軸架した掻込オーガー５を設けている。そして、刈取前処理装置７には、前記収集テーブル３０の前側の高い部位から少し前方へ離した位置に第一刈刃に相当する刈取装置１を設けている。この刈取装置１が刈り取った茎稈上部のひまわりの花托部（種子部）を前記掻込オーガー５側に送り、オーガー５の搬送過程で収集しながら、前記コンベヤ室１７の搬送始端側に供給する構成としている。そして、掻込オーガー５は、搬送コンベヤ装置６の搬送始端側のすぐ前側に対応する部位に掻込フィンガー３１を設けて花托を後方へ掻き込むようにしている。なお、６６は掻込リールである。
【００１３】
また、収集テーブル３０の左右両側部で前記刈取装置１の左右両側に相当する部位に、左右の分草杆２，２を前側に突出させて設けている。
また、誘導搬送装置３は、図１及び図２に示すように、上面部で搬送する形状にした複数の搬送無端帯３ａ〜３ｆの間に、それぞれ茎稈通路１２，…を形成して前後方向に配列し、複数のひまわりの茎稈を誘導しながら後方へ搬送できるように構成している。そして、各搬送無端帯３ａ〜３ｆは、図面に示すように、後部を前記刈取装置１の上側から後方を経て、下側を通して前方下方に無端状に延出し、先端部を前側下方に下げ傾斜させて構成し、ひまわりの花托部を上に載せて搬送するように構成している。
【００１４】
また、前記誘導搬送装置３は、図１に示すように、その左右中心に位置する搬送無端帯３ａが車台９に装備した左右一対のクローラ８，８の中心部位から前方に延出した仮想中心線（Ｐ−Ｐ）上に配置するように構成している。そして、第２刈取装置１３は、図１に示すように、左右中心位置の搬送無端帯３ａと同様に前記仮想中心線（Ｐ−Ｐ）上に配置し、コンベヤの左右バランスを確保できる構成としている。
【００１５】
次に、図１、図３及び図４に基づきひまわり茎稈の誘導搬送装置３への案内構成について説明する。
収集テーブル３０における刈取装置１の左右両側方には、左右の分草杆２，２を前側に突出させて設け、左右の分草杆２，２と誘導搬送装置３の左右両側部との間の空間部を覆うように、左右の案内カバー８１，８１を設けている。そして、この左右の案内カバー８１，８１の前側部を、左右の先端分草案内部８１ａ，８１ａに構成し、この先端分草位置と左右の分草杆２，２の分草位置を前後方向の同一直線上に位置させて、左右の先端分草案内部８１ａ，８１ａの先端を左右の分草杆２，２の先端よりも前方へ延出させている。
【００１６】
この左右の先端分草案内部８１ａ，８１ａの後側に左右後側傾斜案内面部８１ｂ，８１ｂを接続し、その上面には、図３に示すように、左右両側が高く内側ほど低くなる傾斜面を形成している。左右後側傾斜案内面部８１ｂ，８１ｂの傾斜下端部には、正面視で上下方向に沿わせた左右縦案内面部８１ｃ，８１ｃを接続して誘導搬送装置３の左右両側の搬送無端帯３ｅ，３ｆの近傍に臨ませている。
【００１７】
従来装置は、図５に示すように、左右の分草杆２，２の先端分草位置と左右の案内カバー８１，８１の先端分草位置とが左右にずれているので、ひまわりの茎稈が左右の分草杆２，２に引っ掛って押し倒され、ひまわりの花托をロスするという不具合があった。
【００１８】
しかし、前記構成によると、左右の先端分草案内部８１ａ，８１ａの先端分草位置と左右の分草杆２，２の先端分草位置が左右一致しているので、左右両側に向けて倒れているひまわりの花托を確実且つ円滑に引き起こすことができる。
【００１９】
また、左右の先端分草案内部８１ａ，８１ａ及び左右の分草杆２，２により引き起こされたひまわりの花托は、左右の案内カバー８１，８１の左右後側傾斜案内面部８１ｂ，８１ｂ上を後方に案内されながら傾斜面に沿って内側に流下誘導され、左右両側の搬送無端帯３ｅ，３ｆにより花托が確実に後方へ搬送され、茎稈の花托に近い部位から刈取装置１により切断される。従って、運転操作が楽になり、収穫ロスを防止し、切断性能を向上させることができる。
【００２０】
次に、図１、図３及び図６に基づき誘導搬送装置３について説明する。
誘導搬送装置３は、搬送フレーム３ｇ，…には複数の搬送無端帯３ａ〜３ｆが茎稈通路１２を形成するように前後方向に配列し、機体フレームに左右方向の軸３ｐ回りに上下回動自在に支架している。機体フレームの搬送フレーム３ｇ，…の下方には左右方向の軸で屈折自在に連結しているアーム８４ａ及びロッド８４ｂを設け、ロッド８４ｂの前側端部で搬送フレーム３ｇの前後方向中途部を支持している。そして、アーム８４ａと搬送フレーム３ｇの後側部との間に、上下調節手段８３を設け、搬送フレーム３ｇ，…を上下調節可能に支持している。
【００２１】
従来装置は、図７に示すように、機体フレームに対して左右方向の軸回りに搬送フレーム３ｇを単に上下回動自在に支架する構成であるので、ひまわりの茎稈の搬送中に負荷がかかると、折り曲がって変形したり、振動するという不具合があった。しかし、前記構成によると、搬送フレーム３ｇの剛性が向上し、振動を軽減させ、ひまわりの茎稈を安定して搬送することができる。
【００２２】
次に、図８乃至図１０に基づき誘導搬送装置３について説明する。
誘導搬送装置３は、図８及び図９に示すように、搬送フレーム３ｇ，…には複数の搬送無端帯３ａ〜３ｆを前端ローラ３ｈ，…及び後端ローラ（図示省略）に巻き架け、茎稈通路１２，…を形成するように前後方向に配設し、搬送無端帯３ａ〜３ｆには所定間隔毎にスラット３ｉ，…を設けて、ひまわりの花托を載置し後方へ搬送するように構成している。そして、搬送フレーム３ｇ，…には搬送無端帯３ａ〜３ｆの下方を覆うように保護板８５を取り付けている。
【００２３】
従来装置は、図１０に示すように、搬送無端帯３ａ〜３ｆの下方には何もなく、搬送無端帯３ａ〜３ｆの下側の前方へ回動する部分は非作用側ではあるが、搬送無端帯３ａ〜３ｆが垂れ下がってくると、茎稈を引っ掛けて前端ローラ３ｈに持ち込み、詰まりが生じるという不具合があった。
【００２４】
しかし、前記構成によると、保護板８５により搬送無端帯３ａ〜３ｆの垂れ下がりを防止し、搬送無端帯３ａ〜３ｆによる前端ローラ３ｈへの茎稈の巻き込みを防止し、円滑な搬送作用をすることができ、また、搬送フレーム３ｇの剛性を高めることができる。
【００２５】
また、搬送フレーム３ｇの前側下部には支持板８６を取り付け、この支持板８６を前記保護板８５の前側部下方を通して前方へ延出し、支持板８６の前端には上下方向の軸回りに回転するように円板８７を取り付け、この円板８７を搬送無端帯３ａ〜３ｆの前端部下方に配置している。
【００２６】
前記構成によると、機体の後進時に円板８７の支持部からひまわりの茎稈が搬送無端帯３ａ〜３ｆに侵入することもなく、ひまわりの花托の脱落を防止することができる。
次に、図１１及び図１２に基づき汎用コンバインにおける刈取前処理装置７の自動刈取高さ制御について説明する。
【００２７】
刈取前処理装置７を左右にローリング制御可能な汎用コンバインにおいて、刈取前処理装置７の下部に左右接地センサ９１ａ，９１ｂ、中央接地センサ９１ｃを設け、刈取前処理装置７により３畦Ｕ，…のひまわりの刈取作業をするように構成している。そして、左右接地センサ９１ａ，９１ｂの接地が優先するように刈取前処理装置７を左右対地平行に刈取高さ制御をする。そして、この左右対地平行の高さ制御中に、中央接地センサ９１ｃの接地を検出すると、刈取前処理装置７を左右水平による刈取高さ制御に変更するものである。
【００２８】
図１２に示すように、刈高さ制御が開始されると、刈取・脱穀クラッチ入り、作業速度での前進走行開始等の条件から刈高さ自動制御条件が成立したか否かを判定する（ステップＳ１）。刈高さ自動制御条件が成立している場合には、刈り高さ自動スイッチのＯＮ／ＯＦＦを判定し（ステップＳ２）、ＯＦＦの場合には、刈高さ自動制御を解除し（ステップＳ３）、ＯＮの場合には、左右接地センサ９１ａ，９１ｂが接地しているか否かの判定をする（ステップＳ４）。
【００２９】
そして、ＯＮの場合には、中央接地センサ９１ｃが接地しているか否かを判定する（ステップＳ５）。ＯＮの場合には、刈取前処理装置７を左右水平姿勢の刈取高さ制御をし（ステップＳ６）、ＯＦＦの場合には、刈取前処理装置７を地面左右平行の刈取高さ制御をする（ステップＳ７）。
【００３０】
また、刈高さ自動制御条件が成立したか否かを判定し（ステップＳ１）、刈高さ自動制御条件が成立していない場合には、昇降レバーの昇降操作の判定をし（ステップＳ８）、上昇操作であれば、刈取前処理装置７を上昇して自動刈高さ制御を解除し、また、下降操作の場合には、前記ステップＳ４に移行する。また、左右接地センサ９１ａ，９１ｂの接地しているか否かを判定し（ステップＳ４）、接地していない場合には、ステップＳ６に移行する。
【００３１】
３条刈りの刈取前処理装置７を地面に対して左右平行だけの刈取高さ制御では、中央の畦が高い場合には、左右どちらかの畦は高刈りになってしまい、刈り残し茎稈が長くなるという不具合がある。しかし、前記構成によると、中央接地センサ９１ｃが接地状態を検出すると、刈取前処理装置７を左右水平制御に変更するので、左右茎稈の刈り残しを少なくすることができる。
【００３２】
次に、図１３に基づき汎用コンバインにおける刈取前処理装置７の自動刈取高さ制御の他の実施例について説明する。
３条刈り型の刈取前処理装置７を左右にローリング制御可能な汎用コンバインにおいて、刈取前処理装置７の下部に左右接地センサ９１ａ，９１ｂ、中央接地センサ９１ｃを設け、刈取前処理装置７の左右、中央の地面からの高さを検出可能に構成し、３個の接地センサ９１ａ，９１ｂ，９１ｃの検出高さからコントローラ（図示省略）で左右対地平行高さ、左右水平制御高さを演算し、刈取前処理装置７を左右対地平行制御、あるいは、左右水平制御により刈り高さ制御を行なうものである。
【００３３】
図１３に示すように、刈高さ制御が開始されると、刈高さ自動制御条件が成立したか否かを判定する（ステップＳ１１）。刈高さ自動制御条件が成立している場合には、刈り高さ自動スイッチのＯＮ／ＯＦＦを判定し（ステップＳ１２）、ＯＦＦの場合には、刈高さ自動制御を解除し（ステップＳ３）、ステップＳ１１に戻る。また、刈り高さ自動スイッチがＯＮの場合には、左右接地センサ９１ａ，９１ｂで対地高さを検出すると共に（ステップＳ１４）、中央接地センサ９１ｃで対地高さを検出し（ステップＳ１５）、ＣＰＵに入力する。
【００３４】
次いで、ＣＰＵで所定の演算式により左右接地センサ９１ａ，９１ｂの対地最下限高さ、及び、中央接地センサ９１ｃの対地最下限高さを算出する（ステップＳ１６）。次いで、左右接地センサ９１ａ，９１ｂが対地最下限高さ以上の高さを検出しているときには、対地左右平行による刈取高さ制御を実行し（ステップＳ１７）、中央接地センサ９１ｃが対地最下限高さを検出すると、左右水平の刈取高さ制御を実行する（ステップＳ１８）。
【００３５】
前記構成によると、中央接地センサ９１ｃが接地最下限高さを検出すると、刈取前処理装置７を左右水平制御に変更するので、左右茎稈の刈り残しを少なくすることができる。
次に、図１４に基づきコンバインのクローラの泥落し装置について説明する。
【００３６】
車体後部には左右ブラシアーム９５，９５を左右方向の軸９５ａ回りに回動自在に軸支し、左右ブラシアーム９５，９５の先端部にブラシ支持軸９６を取り付けている。ブラシ支持軸９６の左右両側部に左右ブラシ９７，９７の筒体９７ａ，９７ａを嵌合しピンで固着している。また、ブラシ支持軸９６にはブレーキ９８を装着している。
【００３７】
しかして、左右ブラシアーム９５，９５を下方に回動すると、左右ブラシ９７，９７が左右クローラ８，８の外周面に接触し、ブラシ支持軸９６にブレーキ９８を作動しながら、左右クローラ８，８を走行させると、外周面に付着した泥を迅速に落すことができる。また、左右ブラシアーム９５，９５を上方へ回動すると、左右ブラシ９７，９７を上方の退避位置に収納することができる。
【００３８】
前記構成によると、圃場から出たところで、コンバインを前後進することにより、圃場の出入り口付近でクローラ８の泥を落すことができ、クローラ８，８の清掃が容易となる。また、機体の左右両側から左右ブラシ９７，９７の交換をすることができ、交換作業が容易になる。
【００３９】
次に、図１５に基づきコンバインの電力節減構成について説明する。
コンバインの作業時において、特に旋回走行や湿田作業時にオルタネータ１０１の発電をゼロにし、馬力ロスを低減しようとするものである。
【００４０】
図１５に示すように、オルタネータ１０１、レギュレータ１０２及びコントローラ１０３を設けた電気回路において、オルタネータ１０１とレギュレータ１０２との間を、コントローラ１０３に接続している接続回路１０４を経由して接続している。コントローラ１０３の入力側には、刈取・脱穀クラッチレバーの操作状態を検出するクラッチ検出スイッチ１０３ａを接続し、また、左右操舵用のパワーステアリングレバーの左右操舵検出スイッチ１０３ｂ，１０３ｃを接続している。また、出力側にはローリング制御用のローリングソレノイド出力回路１０３ｄを接続し、ローリングソレノイドに制御信号を出力するように構成している。
【００４１】
刈取・脱穀クラッチの入り操作が刈取・脱穀クラッチ入切検出スイッチ１０３ａによりコントローラ１０３に入力された状態で、パワーステアリングレバーの左右操舵操作に基づく左右操舵検出スイッチ１０３ｂ，１０３ｃの操舵情報が例えば２秒以上連続して検出されたとき、また、ローリングソレノイド出力回路１０３ｄから例えば５秒間に１０回以上のローリングソレノイドの励磁信号が出力されたときには、オルタネータ１０１のフィールドコイル１０１ａの励磁電流をカットし、フリクションロスを低減するようにしている。
【００４２】
コンバインの自動化、夜間作業などで電装品の消費電力が増加し、作業中において最大時には約１馬力程度のロスがオルタネータ１０１で発生する。しかし、前記構成によると、コンバインの高負荷運転中におけるオルタネータ１０１の馬力ロスを軽減し、円滑に作業を進めることができる。
【００４３】
なお、エンジンの始動時に、オルタネータ１０１のフリクションロスを低減すするために、主変速レバーが中立時において、、無段変速装置駆動用のベルトテンションクラッチが非作用状態になると、オルタネータ１０１のフィールドコイル１０１ａの励磁電流をカットするように構成してもよい。
【図面の簡単な説明】
【００４４】
【図１】コンバインの全体平面図。
【図２】コンバインの全体側面図。
【図３】刈取前処理装置の切断正面図（図１のＳ−Ｓ線断面図）。
【図４】刈取前処理装置の平面図。
【図５】従来の刈取前処理装置の平面図。
【図６】誘導搬送装置の側面図。
【図７】従来の誘導搬送装置の側面図。
【図８】誘導搬送装置の側面図。
【図９】誘導搬送装置の切断正面図。
【図１０】従来の誘導搬送装置の側面図。
【図１１】刈取前処理装置の側面図、平面図。
【図１２】フローチャート。
【図１３】フローチャート。
【図１４】コンバイン後側部の側面図、背面図。
【図１５】制御電気回路図。
【符号の説明】
【００４５】
１      刈取装置
２      分草杆
３      誘導搬送装置
４      掻き込みオーガ
６      搬送コンベヤ装置
１０      脱穀装置
８１      案内カバー
８１ａ    先端分草案内部
８１ｂ    後側傾斜案内面部
【図１】
2010029133.tif 000003
【図２】
2010029133.tif 000004
【図３】
2010029133.tif 000005
【図４】
2010029133.tif 000006
【図５】
2010029133.tif 000007
【図６】
2010029133.tif 000008
【図７】
2010029133.tif 000009
【図８】
2010029133.tif 000010
【図９】
2010029133.tif 000011
【図１０】
2010029133.tif 000012
【図１１】
2010029133.tif 000013
【図１２】
2010029133.tif 000014
【図１３】
2010029133.tif 000015
【図１４】
2010029133.tif 000016
【図１５】
2010029133.tif 000017